【手続補正書】
【提出日】平成17年3月16日(2005.3.16)
【手続補正１】
【補正対象書類名】明細書
【補正対象項目名】発明の名称
【補正方法】変更
【補正の内容】
【発明の名称】移動通信システム、移動局及び基地局
【手続補正２】
【補正対象書類名】明細書
【補正対象項目名】特許請求の範囲
【補正方法】変更
【補正の内容】
【特許請求の範囲】
【請求項１】
複数の基地局と、各基地局により形成されるセル間を移動する移動局とが符号分割多元接続方式で接続され、上記基地局により送信電力制御がなされる移動通信システムにおいて、
少なくとも下りリンク制御信号について上記移動局と上記各基地局とを同時に接続するソフトハンドオフ制御を行い、上記下りリンク制御信号以外の下りリンク信号についてはハードハンドオフ制御を行うことを特徴とする移動通信システム。
【請求項２】
上記各基地局は、上記下りリンク制御信号として移動局の送信電力制御信号を送信し、少なくとも送信電力制御信号についてソフトハンドオフ制御を行うことを特徴とする請求項１記載の移動通信システム。
【請求項３】
上記各基地局は、同時に上記移動局が接続される接続数に関する閾値を監視する接続数監視手段を備え、上記接続数監視手段は、上記移動局の接続数が上記閾値以上であるときには上記下りリンク制御信号のみについてソフトハンドオフ制御を行わせ、上記移動局の接続数が上記閾値以下であるときには上記下りリンク制御信号及び下りリンク制御信号以外の信号についてソフトハンドオフ制御を行わせることを特徴とする請求項１記載の移動通信システム。
【請求項４】
上記各基地局は、上記移動局間における信号品質に関する閾値を監視する品質監視手段を備え、上記品質監視手段は、上記信号品質が上記閾値以上であるときには上記下りリンク制御信号のみについてソフトハンドオフ制御を行わせ、上記信号品質が上記閾値以下であるときには上記下りリンク制御信号及び下りリンク制御信号以外の下りリンク信号についてソフトハンドオフ制御を行わせることを特徴とする請求項１記載の移動通信システム。
【請求項５】
上記基地局は、上記下り制御信号以外の信号についてハードハンドオフ制御を行うとき、上記下りリンク制御信号についての制御信号レベルを、上記下りリンク制御信号以外の信号についてもソフトハンドオフ制御を行うときの下りリンク制御信号の制御信号レベルよりも高くすることを特徴とする請求項１記載の移動通信システム。
【請求項６】
複数の基地局と、各基地局により形成されるセル間を移動する移動局とが符号分割多元接続方式で接続され、上記基地局により送信電力制御がなされる移動通信システムにおける移動局であって、
少なくとも下りリンク制御信号について上記各基地局と同時に接続するソフトハンドオフ状態とされ、上記下りリンク制御信号以外の下りリンク信号についてはハードハンドオフ状態されることを特徴とする移動局。
【請求項７】
複数の基地局と、各基地局により形成されるセル間を移動する移動局とが接続される移動通信システムにおける移動局であって、
上記各基地局より送信されるリンク制御信号についてはソフトハンドオフ状態とされ、上記各基地局より送信される情報信号についてはハードハンドオフ状態とされることを特徴とする移動局。
【請求項８】
上記各基地局と符号分割多元接続方式で接続されることを特徴とする請求項７記載の移動局。
【請求項９】
上記各基地局より制御信号として送信電力を制御する送信電力制御信号が送信され、少なくとも送信電力制御信号についてはソフトハンドオフ状態とされることを特徴とする請求項７記載の移動局。
【請求項１０】
上記複数の基地局から、複数の制御信号を受信したとき、上記複数の制御信号の内容をそれぞれ比較し、比較した結果に基づいて動作を決定することを特徴とする請求項７記載の移動局。
【請求項１１】
複数の基地局と、各基地局により形成されるセル間を移動する移動局とが接続される移動通信システムにおける基地局であって、
上記各基地局より送信される制御信号についてはソフトハンドオフ制御を行い、上記各基地局より送信され情報信号についてはハードハンドオフ制御を行うことを特徴とする基地局。
【請求項１２】
上記各移動局と符号分割多元接続方式で接続されることを特徴とする請求項１１記載の移動局。
【請求項１３】
制御信号として移動局の送信電力を制御する送信電力制御信号を送信し、少なくとも送信電力制御信号についてはソフトハンドオフ制御を行うことを特徴とする請求項１１記載の基地局。
【請求項１４】
同時に接続されている移動局をカウントする接続数監視手段を備え、
上記接続数監視手段は、上記移動局の接続数が上記閾値以上であるときには上記制御信号のみについてソフトハンドオフ制御を行わせ、上記移動局の接続数が上記閾値以下であるときには上記制御信号及び制御信号以外の信号についてもソフトハンドオフ制御を行わせることを特徴とする請求項１１記載の基地局。
【請求項１５】
上記移動局間における信号品質に関する閾値を監視する品質監視手段を備え、
上記品質監視手段は、上記信号品質が上記閾値以上であるときには上記制御信号のみについてソフトハンドオフ制御を行わせ、上記信号品質が上記閾値以下であるときには上記制御信号及びリンク制御信号以外の下りリンク信号についてソフトハンドオフ制御を行わせることを特徴とする請求項１１記載の基地局。
【請求項１６】
上記制御信号以外の信号についてハードハンドオフ制御を行うとき、上記制御信号についての制御信号レベルを、上記制御信号以外の信号についてもソフトハンドオフ制御を行うときの制御信号の制御信号レベルよりも高くすることを特徴とする請求項１１記載の基地局。
【手続補正３】
【補正対象書類名】明細書
【補正対象項目名】０００１
【補正方法】変更
【補正の内容】
【０００１】
【発明の属する技術分野】
本発明は、ＣＤＭＡ（Code Division Multiple Access）方式で基地局と移動局とが接続されてなるセルラー方式の移動通信システムに関し、詳しくは、移動局がセル間を移動するときに下りリンク伝送信号についてソフトハンドオフを行う移動通信システム、移動局及び基地局に関する。
【手続補正４】
【補正対象書類名】明細書
【補正対象項目名】０００９
【補正方法】変更
【補正の内容】
【０００９】
そこで、本発明は、上述したような実情に鑑みて提案されたものであり、ソフトハンドオフを行いながら、システム全体の容量を大きくするとともに移動局送信電力の制御を正しく行ってシステム全体の安全性を保持する移動通信システム、移動局及び基地局を提供することを目的とする。
【手続補正５】
【補正対象書類名】明細書
【補正対象項目名】００１０
【補正方法】変更
【補正の内容】
【００１０】
【課題を解決するための手段】
上述の課題を解決する本発明は、複数の基地局と、各基地局により形成されるセル間を移動する移動局とが符号分割多元接続方式で接続され、上記基地局による送信電力制御命令に従って移動局の送信電力制御がなされる移動通信システムにおいて、少なくとも下りリンク制御信号について上記移動局と上記各基地局とを同時に接続するソフトハンドオフ制御を行い、上記下りリンク制御信号以外の下りリンク信号についてはハードハンドオフ制御を行うことを特徴とするものである。
また、本発明は、複数の基地局と、各基地局により形成されるセル間を移動する移動局とが符号分割多元接続方式で接続され、上記基地局により送信電力制御がなされる移動通信システムにおける移動局であって、少なくとも下りリンク制御信号について上記各基地局と同時に接続するソフトハンドオフ状態とされ、上記下りリンク制御信号以外の下りリンク信号についてはハードハンドオフ状態されることを特徴とする。
また、本発明は、複数の基地局と、各基地局により形成されるセル間を移動する移動局とが接続される移動通信システムにおける移動局であって、上記各基地局より送信されるリンク制御信号についてはソフトハンドオフ状態とされ、上記各基地局より送信され情報信号についてはハードハンドオフ状態とされることを特徴とする。
さらに、本発明は、複数の基地局と、各基地局により形成されるセル間を移動する移動局とが接続される移動通信システムにおける基地局であって、上記各基地局より送信される制御信号についてはソフトハンドオフ制御を行い、上記各基地局より送信され情報信号についてはハードハンドオフ制御を行うことを特徴とする。